(57)【要約】本発明は、２つのプロファイル片（２）を解除可能に接続するための締め付け装置のカム式クロージャー用のスライドプレート（２０）であって、該締め付け装置のロッキング要素と連結するための連結領域（１１，２８）を備える。スライドプレートは、締め付け装置の偏心ロールを受容するための内部開口（２３）を有し、それにより、スライドプレート（２０）の軸方向移動（３０）が実行可能となる。この目的のために、ばね領域（２７）が、偏心ロールを受容するための内部開口（２３）と連結領域（１１，２８）との間に設けられる。偏心ロールの弾性的動きにより、ユーザーは増加する抵抗を感じることができ、それにより触覚フィードバックも与えられる。さらに、このようなスライドプレートに設けられたクロージャー要素は、互いに取り付けられるプロファイル片に対してより大きな許容差を示す。【選択図】図２
2013540966.tif 000002
【特許請求の範囲】
【請求項１】
２つのプロファイル片（２）を解除可能に接続するための締め付け装置（１）のカム式クロージャー用のスライドプレート（２０）であって、該締め付け装置（１）のロッキング要素（４，５，６）と連結するための連結領域（１１，２８）を備え、
前記スライドプレート（２０）が、前記締め付け装置（１）の偏心ロール（２２）を受容するための内部開口（２３）を有し、該偏心ロール（２２）は前記スライドプレート（２０）の軸方向移動（３０，１３０）のために用いることができ、
ばね領域（２７）が、前記偏心ロール（２２）を受容するための内部開口（２３）と前記連結領域（１１，２８）との間に設けられる、スライドプレート（２０）。
【請求項２】
前記ばね領域（２７）が、前記スライドプレート（２０）の表面の一体成形品で構成される、請求項１に記載のスライドプレート（２０）。
【請求項３】
前記連結領域（１１，２８）と反対側に位置する前記スライドプレート（２０）の端部領域（３５）で終端する２つの側部ばね領域（２７）が設けられ、前記端部領域（３５）と結合されたカウンタータング（３１）が、前記２つの側部ばね領域（２７）の間に設けられ、前記内部開口（２３）に隣接する、請求項２に記載のスライドプレート（２０）。
【請求項４】
前記カウンタータング（３１）の自由端が、前記スライドプレート（２０）の、前記連結領域（１１，２８）と前記２つの側部ばね領域（２７）の間に設けられた前部領域（３８）に、側面（３４）で当接する、請求項３に記載のスライドプレート（２０）。
【請求項５】
前記内部開口（２３）が、前記ばね領域（２７）に対して実質的に横に延びる前記偏心ロール（２２）のための係合縁（４０）を有する、請求項１〜４のいずれかに記載のスライドプレート（２０）。
【請求項６】
前記軸方向移動（３０，１３０）の方向に、外側案内縁（３６，３７）を有する請求項１〜５のいずれかに記載のスライドプレート（２０）。
【請求項７】
前記ばね領域（２７）が、前記スライドプレート（２０）の断面において、一重又は二重のＳ字形状を示し、前記スライドプレート（２０）の平面から片側（１７）及び／又は両側（１７，１８）に向かって延びる、請求項１〜５のいずれかに記載のスライドプレート（２０）。
【発明の詳細な説明】
【技術分野】
【０００１】
本発明は、請求項１のプリアンブルに記載の、２つのプロファイル片を解除可能に接続するための締め付け装置のカム式クロージャー用のスライドプレートに関する。
【背景技術】
【０００２】
このようなスライドプレートは、出願人のＷＯ９７／２０１４８から公知である。そこには、２つのプロファイル片を解除可能に接続するための締め付け装置の一部が記載されている。締め付け装置の挿入コアは、締め付け要素の位置をずらすために、端部に軸方向に移動可能なスライドを有し、２つのプロファイル片のうちの１つの開口に少なくとも部分的に挿入させることができる。スライドは、偏心ロールを受け入れるための内部開口を有し、この偏心ロールは軸方向移動を行うために用いられる。
【０００３】
この締め付け装置は十分満足に機能し、機能的な問題はみられない。しかし、開口内の偏心ロールの回転によってプレートが動き、それにより締め付け要素の位置がずれるので、偏心ロールとそのベアリングは、スライドプレートと偏心ロールを受け入れるその開口とともに、精密な製造が求められる。ここでは十分な締め付け力が加えられることが必要であり、最大移動点に完全に到達しても、超えてもいけない。
【発明の概要】
【０００４】
この先行技術に基づき、本発明の目的は、より簡易な締め付けを可能とし、製造公差の影響を受けにくい、上述の種類の締め付け要素のためのスライドプレートを示すことである。
【０００５】
この目的は、請求項１の特徴を有するスライドプレートによる本発明によって達成され、請求項１では、２つのプロファイル片を解除可能に接続するための締め付け装置のカム式クロージャー用のスライドプレートであって、該締め付け装置のロッキング要素と連結するための連結領域を備える、スライドプレートが提供される。ここでは、スライドプレートが、締め付け装置の偏心ロールを受容するための内部開口を有し、偏心ロールはスライドプレートの軸方向移動のために用いることができる。ばね領域が、偏心ロールを受容するための内部開口と連結領域との間に設けられる。偏心ロールの弾性的動きにより、ユーザーは作動中に増加する抵抗を感じることができ、クロージャー要素がスイベルをラッチするだけでなく、触覚フィードバックも与えられる。同時に、このようなスライドプレートが設けられたクロージャー要素は、互いに取り付けられたプロファイル片に対してより大きな許容差を示し、締め付けすぎや、不注意に分離してしまうことがない。
【０００６】
ばね領域は、スライドプレートの表面の一体成形品で構成されるので、部品の製造が容易で、長期わたって機能的に信頼性がある。
【０００７】
連結領域と反対側に位置するスライドプレートの端部領域で終端する、２つの側部ばね領域を設けることが有利である。これにより、２つの側部ばね領域の間に、端部領域と結合されたカウンタータングを設けることができ、カウンタータングは内部開口を有し、内部開口の縁にカムを介して効率的に締め付け力がかかる。また、これにより、連結領域の突起部に近接してこの開口を引き続き設けることも可能であり、それによりカウンタータングの長いばね変位を生み出すことが可能となる。
【０００８】
さらなる実施形態は、従属項に示される。
【０００９】
締め付け装置のための、本発明によるスライドプレートの重要な利点の１つは、個々の要素、特に、締め付け装置が使用されるプロファイル片をも含む個々の要素の遊びがより大きく、即ち、操作的信頼性を犠牲にすることなく、高い許容差で製造することができることである。
【図面の簡単な説明】
【００１０】
【図１】図１は、本発明の例示的実施形態によるスライドプレートを有する締め付け装置の部分切り取り側面図である。
【図２】図２は、図１に示したスライドプレートの斜視図である。
【図３】図３は、図１に示したスライドプレートの側面図である。
【図４】図４は、図２によるスライドプレートの平面図である。
【図５】図５は、図１による締め付け装置の分解図である。
【発明を実施するための最良の形態】
【００１１】
本発明の好ましい実施形態を図面に基づいて以下に説明する。図面は説明の目的にのみ供するものであり、限定するものと解釈してはならない。
【００１２】
図１は、２つのプロファイル片を解除可能に接続するための締め付け装置１の部分切り取り断面図であり、２つのプロファイル片のうち、一方のプロファイル片２はインサートを囲むプロファイルであり、第２のプロファイル片３はそれと交差して延びる前面部３であって、開口、又は、少なくとも投影面に対して垂直に延びる溝を有する。第１のプロファイル片２は第２のプロファイル片３との接続に使用され、第２のプロファイル片３は、締め付け装置１のノーズ６を有するラッチ４，５を受け入れるために、前述の開口を有しており、このとき、ラッチ４，５は広げられて、２つのプロファイル片を互いに接続する。ここでは、ラッチとノーズは出願人のＥＰ０  ５０６  ６０７に記載されるように備えてもよく、あるいは、好ましくは、２つの方向にノーズ６を積んで、どちらの側にも均一に、第２のプロファイル片内の上述の開口に後ろから係合させることが可能である。
【００１３】
締め付け装置１はさらに挿入コア７を有し、ラッチ４と５はそこにラッチボルト８によって公知の方法で固定される。
【００１４】
ラッチボルト８は孔あきの突起部１１で接続され、これは図２及び図３にわかりやすく図示されている。
【００１５】
スライドプレート自体は図１に符号２０で示され、９０度回転されたラッチボルト８に向かう移行領域２１がこのボルト８の後ろの空間に識別できる。
【００１６】
符号２２は偏心ロールを示し、図３に描かれた凹部２３に係合して貫通する。ここでは、偏心ロール２２は挿入コア７によって横方向に案内され、その結果、挿入コア７内に配置されたスライドプレート２０は、偏心ロール２２を回転させることによって長手方向に移動できる。矢印１３０で示されたこの長手方向にスライドプレート２０が移動することにより、ラッチ４と５による旋回運動（ｓｗｉｖｅｌｌｉｎｇ  ｍｏｔｉｏｎ）が起こり、このとき、ラッチボルト８が、結果的に付与された移行運動によって、ノーズ６に関連してラッチ４，５を開閉させる。
【００１７】
スライドプレート２０は挿入コア７で案内され、カム８を回転させることにより方向１３０の移行運動が引き起こされる。
【００１８】
示した例示的実施形態では、ばね２４は、実質的にＵ字形状の金属板であり、ラッチ４と５とは反対に位置する側から、締め付け要素１の対応する受け入れ空間２５に導入される。ばね２４は、２つの打ち抜かれた側部可撓性タング２６を有することが有利であり、タング２６はガイド上の対応する停止面に当接する。続く可撓性タング１２６は、偏心ボルト２２の基部周囲を凹部で囲むように配置され、プロファイル片２への挿入の際、偏心ボルト２２の基部を押すことができる。
【００１９】
図２は、スライドプレート２０の斜視図である。図３はこのときのスライドプレート２０の側面図を示す。矢印３０はスライドプレート２０の、特に連結突起部１１の移行運動を示す。ラッチボルト８を受容するための貫通孔２８を有する連結突起部１１を、移行領域２１内で９０度回転させることは先行技術から公知であり、締め付け要素１を平坦な設計にする好ましい実施形態が示され、それにより、ほとんどの場合、長方形の支持プロファイル片と結合した薄型プロファイルに使用可能となる。他の構造では、連結突起部１１はスライドプレート２０と同一の面に位置させることもできる。また、対応する凹部をラッチボルト８用に設ける必要がない。ここでは連結装置１１、２８を設けて、これにより、矢印１３０の方向に締め付ける際に、両矢印３０の方向のスライドプレート２０の動きに促進されて、ラッチ４と５を動かせることが重要である。
【００２０】
ＷＯ９７／２０１４８の先行技術のスライドプレートは、固体材料から製造されており、ラッチボルト２２を受容するための凹部２３を有する。
【００２１】
また、本発明によるスライドプレート２０は、一体として構成されるが、有利には、打ち抜き（ｓｔａｍｐｉｎｇ）によって作られた、様々な部分的領域を有する。カウンタータング３１はスライドプレート２０の固体材料から分離される。有利ではあるが、必ずしも必要ではない実施形態では、側部開口３２が、ここでは二重Ｓ字形状領域２７と対向して打ち抜かれている。偏心ボルト２２を受容するための凹部２３は、突起部１１の方向に打ち抜かれている。エッジ３４は、カウンタータング３１と凹部２３の縁壁３３との間のカウンタータングの２つの対向する側部上で、スライドプレート２０の材料からは途切れているものの、好ましくは互いに接し、その結果、スライドプレート２０が凹部２３内の偏心ボルト２２の回転から生じる力で固定される際に、これらの力をスライドプレート２０に向かって横方向に、集合的に伝達することができる。
【００２２】
カウンタータング３１は、端部領域３５の、突起部１１と反対に位置する側で終端し、幅広に構成されることが最も有利である。前部プレート領域３８の端面３７と連結した、この端部領域３５の外側面３６は、挿入コア７内で横方向に案内され、必要であれば、これらの上側１７、下側１８の面でも案内される。換言すれば、挿入コア７はスライドプレート２０を受容する中空のスペースを組み込んでおり、側面の広がりは、外側縁３６と３７の間の距離の大きさである。
【００２３】
示した例示的実施形態では、サスペンションホール２９が端部領域３５に１つの選択肢として設けられており、例えば、硬化や焼き戻し等の最終加工工程後に、スライドプレートを吊り下げることができる。
【００２４】
上記で既に提案したように、二重Ｓ字形状のばね領域２７はカウンタータング３１の両側に見られる。二重Ｓ字形状は、成形による製造工程中に、材料がスライドプレート２０の主要な平面から引き出されることを意味する。２つの二重Ｓ字形状はスライドプレート２０の主要な平面に対して同一の方向に成形されることが好ましい。しかし、これらは反対の方向に押し出されてもよい。
【００２５】
ばねプレートを、最初に一体として打ち抜いて製造する場合、面３４上でカウンタータング３１を分離しながら、側部領域３２と凹部２３を作り出す際に、偏心ロール２２を収容する開口２３に沿わせて、端部領域３８の突起に向いた側に、打ち抜いた開口３９も設けることに注意する。最初の打ち抜き工程でまず初めに作られるこの開口３９は、このとき、長手方向の大きさがまだ大きいが、二重Ｓ字形状のばね要素２７が形成されると、カウンタータング３１が二重Ｓ字形状のばね要素２７によって突起部１１に向かって移動するので、開口３９は短くなる。
【００２６】
凹部２３は、所定の半径を有する湾曲３３と、平坦領域４０と、同一の所定の半径を有する対向する湾曲とを有し、ポイント４１は移行領域とされる。このポイントで、半径はカウンタータング３１の一部分から領域３８の部分へと移行することをここで思い出さなければならない。偏心ロール２２の直径は、偏心ロールレセプタクル１２２の直径と同じである。偏心ロール２２の形状は図５で容易に識別できる。
【００２７】
先行技術と比較して、このスライドプレート２０の改良された機能は、偏心ロール２２が挿入されて回転されると、壁４０に当接し、特に、矢印３０に関し端部領域３５の方向にスライドプレート２０を押しやる、ばね２６で構成される、という事実から生じる。しかし、突起部１１はラッチボルト８内で挿入コア７と並進運動的固定的方法で結合され、その結果、伝達された並進運動のみが、ラッチ４と５を後方に移動させ、ノーズ６を第２のプロファイルに対して広げる（図示せず）。広がりが最大に到達すると（最大の広がりは、第２のプロファイル片の背部切り開きの深さに必然的に依存する）、開口２３内の偏心ボルト２２を回転させ続けても、先行技術ではこれ以上の並進運動は生じず、むしろ、挿入コア８内に位置する偏心ロール２２に対してスライドプレートが締め付けられる。
【００２８】
本願では、偏心ロール２２を回転させ続けると、カウンタータング３１は端部領域３５の方向にさらに押しやられる。二重Ｓ字形状の２つの側部ばね領域２７は、それに固有の、所定のばねのたわみを示すので、生じる力によって延びることが可能である。換言すれば、カウンタータング３１は、特に分離面３４からわかるように、並進運動的方法で、スライドプレートの前部領域３８に対して移動する。
【００２９】
上記からわかるように、要素２７の選択された二重Ｓ字形状は、有利なばねのたわみを確実にするが、一重のＳ字形状、又は、ばねのたわみを可能にするような固体物質からなる他の形状としてもよい。Ｓ字はスライドプレート２０の主要な平面を超えて設けることもでき、この主要な平面の両側に延伸してもよい。
【００３０】
特に、側部要素２７によって生じるばねのたわみにより、スライドプレート２０を備えて構成されたこのような締め付け要素１に、ユーザーは抵抗の増加を感じることができ、それは、ノーズ６を広げる前にまずラッチ４，５を締め付けるときに始まり、２つのプロファイル片を触覚的に明確に結合させるために、締め付け要素１の締め付けとロックを形成することが保証される。また、偏心ボルト２２によって及ぼされる力のスライドプレート２０への作用が増加することにより、締め付け工程中に所定の位置から動かず、最初の位置へと後退しないことが確実となる。
【００３１】
スライドプレートは、ばね鋼から製造することが有利である。
【００３２】
図５は、図１による締め付け装置の分解図であり、図１〜４に関連する必須の要素がより見えるように記載され、符号が付されている。偏心カウンターベアリング１２３を備えた偏心ロール２２は、挿入コア７のカムレセプタクル１２２に押し通され、カム２２２はばね２４の可撓性タング１２６のＵ字状開口の周囲に存在するばね領域に当接することにより、挿入され、解放されることが可能となる。ここでは、カム２２２が開口２３に押し通され、スライドプレート２０に入り、そこで回転可能であることが重要である。
【符号の説明】
【００３３】
１    締め付け要素
２    第１のプロファイル
３    第２のプロファイル
４    ラッチ
５    ラッチ
６    ノーズ
７    挿入コア
８    ラッチボルト
１１    突起部
１７    上面
１８    下面
２０    スライドプレート
２１    移行領域
２２    偏心ロール
２３    凹部
２４    ばね
２５    開口
２６    可撓性タング
２７    二重Ｓ字形状領域
２８    ラッチボルト開口
２９    サスペンションホール
３０    両矢印
３１    カウンタータング
３２    打ち抜き領域
３３    内側縁
３４    側部縁
３５    端部領域
３６    外側縁
３７    外側縁
３８    前部領域
３９    打ち抜き開口
４０    縁面
４１    移行領域
１２２    偏心カウンターレセプタクル
１２３    偏心カウンターベアリング
１２６    可撓性タング部
１３０    締め付け方向
２２２    カム
【図１】
2013540966.tif 000003
【図２】
2013540966.tif 000004
【図３】
2013540966.tif 000005
【図４】
2013540966.tif 000006
【図５】
2013540966.tif 000007
【国際調査報告】
2013540966.tif 000008
2013540966.tif 000009
2013540966.tif 000010
2013540966.tif 000011